(57)【要約】      （修正有）【課題】ユーザの必要に応じて日焼け防止用布の遮蔽範囲を調整することができる日焼け防止用帽子構造を提供する。【解決手段】日焼け防止用帽子構造の日焼け防止用帽子１０は、帽子本体１１の前端につば１２が突設され、帽子本体１１及びつば１２の周縁に軌道２０が設けられ、軌道２０の後端に切欠部２１が設けられ、軌道２０上に複数のフック３０が設けられ、フック３０の側部に開口溝３１が設けられるとともに、開口溝３１の両端に係合部３２が設けられ、開口溝３１によりフック３０を軌道２０へ嵌入させるとともに、軌道２０に係合部３２を枢着させ、フック３０それぞれの下部に挟持溝３３が設けられるとともに、フック３０の挟持溝３３間に日焼け防止布４０が配置される。【選択図】図１
0003179748.tif 000002
【実用新案登録請求の範囲】
【請求項１】
帽子本体と、該帽子本体の前端に突設されたつばとを有する日焼け防止用帽子であって、前記帽子本体及び前記つばの周縁に軌道が設けられ、前記軌道の後端に切欠部が設けられ、前記軌道上に複数のフックが設けられ、前記フックの側部に開口溝が設けられるとともに、前記開口溝の両端に係合部が設けられ、前記開口溝により前記フックを前記軌道へ嵌入させるとともに、前記軌道に前記係合部を枢着させ、前記フックそれぞれの下部に挟持溝が設けられるとともに、前記フックの前記挟持溝間に日焼け防止布が配置されることを特徴とする日焼け防止用帽子構造。
【考案の詳細な説明】
【技術分野】
【０００１】
本考案は、日焼け防止用帽子に関するものであり、さらに詳しくは、日焼け防止用帽子の帽子本体及び前端の周縁に軌道が設けられた日焼け防止用帽子に関するものである。
【背景技術】
【０００２】
日常生活において歩行及び運動する際、太陽光により暑苦しくなったり紫外線を浴びてしまうことを防ぐために、太陽光を遮る日焼け防止用帽子が市販されている。一般に日焼け防止用帽子は、前端につばが突設され、ユーザが日焼け防止用帽子を被ると、突設されたつばによりユーザの顔に陽射しが直接照り付けないように太陽光を遮ることができるが、太陽の位置が低くなって低い角度で太陽光が照らされると、ユーザの顔側面又は首部に太陽光が照り付けられて暑苦しくなったり紫外線を浴びたりすることがある。
【０００３】
特許第４３７９３９３号公報（特許文献１）には、垂れ幕型の日焼け防止用帽子であって、垂れ幕を右側部分、後頭部分および左側部分に三分割して取り付けた日焼け防止用帽子が記載されている。
【０００４】
しかし、かかる提案によれば、つばだけの場合に比較して、広範囲の日焼け防止の効果があるが、垂れ幕が三分割されてはいるものの取付け構造が固定的であり、遮蔽範囲を任意に調整することができず効果も未だ十分ではなかった。
【特許文献１】特許第４３７９３９３号公報
【考案の概要】
【考案が解決しようとする課題】
【０００５】
従って、本考案の課題は、ユーザの必要に応じて日焼け防止用布の遮蔽範囲を調整することができる日焼け防止用帽子構造を提供することにある。
【課題を解決するための手段】
【０００６】
そこで、本考案者は、前記の本考案の課題を解決するために、鋭意検討を重ねた結果、帽子本体及び前端の周縁に軌道を設け、軌道上でフックが摺動自在に移動できるように構成することにより、前記課題を解決できることに着目し、かかる知見に基づいて本考案に想到した。  
【０００７】
かくして、本考案によれば、
帽子本体と、該帽子本体の前端に突設されたつばとを有する日焼け防止用帽子であって、
前記帽子本体及び前記つばの周縁に軌道が設けられ、前記軌道の後端に切欠部が設けられ、前記軌道上に複数のフックが設けられ、前記フックの側部に開口溝が設けられるとともに、前記開口溝の両端に係合部が設けられ、前記開口溝により前記フックを前記軌道へ嵌入させるとともに、前記軌道に前記係合部を枢着させ、前記フックそれぞれの下部に挟持溝が設けられるとともに、前記フックの前記挟持溝間に日焼け防止布が配置されることを特徴とする日焼け防止用帽子構造が提供される。
【考案の効果】
【０００８】
本考案は、前記の通りの構成からなる日焼け防止用帽子であって、帽子本体及びつばの周縁に設けた軌道上を日焼け防止布を取り付けたフックを摺動自在に移動させることができるので日焼け防止布による遮蔽範囲を任意に調整することができる。日焼防止布により、首部、顔部を全面的に覆うことができる。また、日焼け防止のほかに、防寒、紫外線防止、幅射防止防塵の効果も得ることができる。
【図面の簡単な説明】
【０００９】
【図１】本考案の一実施形態に係る日焼け防止用帽子構造を示す斜視図である。
【図２】本考案の一実施形態に係る日焼け防止用帽子構造を示す部分拡大図である。
【図３】本考案の一実施形態に係る日焼け防止用帽子構造の動作を示す説明図（１）である。
【図４】本考案の一実施形態に係る日焼け防止用帽子構造の動作を示す説明図（２）である。
【図５】本考案の一実施形態に係る日焼け防止用帽子構造の動作を示す説明図（３）である。
【図６】本考案の一実施形態に係る日焼け防止用帽子構造の動作を示す説明図（４）である。
【考案を実施するための形態】
【００１０】
以下、本考案の実施形態について図面に基づいて説明する。なお、これによって本考案が限定されるものではない。
【００１１】
図１を参照する。図１に示すように、本考案の一実施形態に係る日焼け防止用帽子構造の日焼け防止用帽子１０は、帽子本体１１の前端につば１２が突設され、帽子本体１１及びつば１２の周縁に軌道２０が設けられている。軌道２０の後端には、切欠部２１が設けられ、軌道２０上に複数のフック３０が設けられている。フック３０の側部には、開口溝３１が設けられるとともに、開口溝３１の両端に係合部３２が設けられ、開口溝３１によりフック３０が軌道２０に嵌入されるとともに、軌道２０に係合部３２を枢着させる（図２参照）。各フック３０の下部には、挟持溝３３が設けられるとともに、各フック３０の挟持溝３３間には、日焼け防止布４０が配置される。
【００１２】
図３〜図６を参照する。図３〜図６に示すように、本考案の一実施形態に係る日焼け防止用帽子構造の日焼け防止用帽子１０をユーザが被る際、各フック３０を軌道２０上で自在に摺動させる。軌道２０が日焼け防止用帽子１０の周縁に位置するため、ユーザは、必要に応じて両側に設けられた各フック３０を軌道２０上で移動させることにより、各フック３０の下方に挟設された日焼け防止布４０の遮蔽範囲を調整する。日焼け防止布４０により襟が覆われ、首部及び顔部が全面的に覆われるため、日焼け防止布４０は、日焼け防止のほか、防風、防寒、紫外線防止、輻射防止、防塵等の効果を得ることができる。
【００１３】
図３、図４は、フック３０の位置を後頭部を遮蔽するように調整し、図５、図6は、フックの位置を前端のつばまで達するように調整し、遮蔽範囲を拡大させた状態を示している。
【００１４】
また軌道２０の後端には、切欠部２１が設けられているため、日焼け防止用帽子１０の寸法を都合良く調整し、フック３０上の日焼け防止布４０を容易に着脱して任意に洗浄することができる上、日焼け防止布４０を凍らせたり湿らせたりして温度を下げる効果を高めてもよい。
【００１５】
以上、本考案の好適な実施形態を開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１６】
１０  日焼け防止用帽子
１１  帽子本体
１２  つば
２０  軌道
２１  切欠部
３０  フック
３１  開口溝
３２  係合部
３３  挟持溝
４０  日焼け防止布
【図１】
0003179748.tif 000003
【図２】
0003179748.tif 000004
【図３】
0003179748.tif 000005
【図４】
0003179748.tif 000006
【図５】
0003179748.tif 000007
【図６】
0003179748.tif 000008